(57)【要約】【課題】加湿量が安定する加湿装置を提供することを目的とする。【解決手段】吹出口７と吸気口６とを有する本体ケース１と、水を貯水する貯水容器１６と、貯水容器内の水に一部が浸漬する気液接触部分１８と、気液接触部分１８に送風する送風機２とを備えている。吸気口６から順次、気液接触部分１８、送風機２を介して吹出口７へ連通する第１の風路１０ａと、吸気口６から送風機２を介して吹出口７へ連通する第２の風路１０ｂと、を備えている。第２の風路１０ｂには、送風機２のモータ部１１を配置し、モータ部１１には着脱自在なモータカバー部２１を設け、モータカバー部２１は、予め、第２の風路１０ｂの風路抵抗を調整する形状が異なる複数の前記モータカバー部２１が準備され、交換して使用できることを特徴としたものであり、これらの手段により、初期の目的を達成するものである。【選択図】図８
2020159597.tif 000002
【特許請求の範囲】
【請求項１】
吹出口と吸気口とを有する本体ケースと、
水を貯水する貯水容器と、
前記貯水容器内の水に一部が浸漬する気液接触部分と、
前記気液接触部分に送風する送風機とを備え、
前記吸気口から順次、前記気液接触部分、前記送風機を介して前記吹出口へ連通する第１の風路と、
前記吸気口から前記送風機を介して前記吹出口へ連通する第２の風路と、を備え、
前記第２の風路には、前記送風機のモータ部を配置し、
前記モータ部には着脱自在なモータカバー部を設け、
前記モータカバー部は、予め、前記第２の風路の風路抵抗を調整する形状が異なる複数の前記モータカバー部が準備され、交換して使用できることを特徴とする加湿装置。
【請求項２】
前記モータカバー部は、
前記モータ部の回転軸方向の投影面積が異なる複数の前記モータカバー部が準備されていることを特徴とする請求項１に記載の加湿装置。
【請求項３】
前記モータカバー部は、
椀形状のモータカバーと、
前記モータカバーの端部から延びる面積調整板とを有し、
前記モータカバー部は、前記面積調整板の面積が異なる複数の前記モータカバー部が準備されていることを特徴とする請求項２に記載の加湿装置。
【請求項４】
前記送風機のケーシング部には、ケーシング部から前記モータ部に延び、前記モータ部から延びる電線の送風方向における下流側を覆う第１電線カバーを設け、
前記モータカバー部は、前記電線の送風方向における上流側を覆う第２電線カバーを有し、
前記第２電線カバーと前記面積調整板とは一体に形成することを特徴とする請求項３に記載の加湿装置。
【請求項５】
前記第２の風路において前記吸気口とファン部との間には、多数の孔を有する整流部を設け、
前記整流部と前記第１電線カバーとは一体に形成し、
前記モータカバー部は、前記整流部の送風方向における上流側に配置されていることを特徴とする請求項４に記載の加湿装置。
【発明の詳細な説明】
【技術分野】
【０００１】
本発明は、加湿装置に関するものである。
【背景技術】
【０００２】
従来のこの種の加湿装置の構造は、以下のようになっていた。
【０００３】
すなわち、水を貯水する貯水容器と、貯水容器内に設けられ、貯水容器内の水に一部が浸漬する加湿フィルター部分と、加湿フィルター部分に空気を送風する送風機とを備えた構成となっていた（例えば下記特許文献１）。
【先行技術文献】
【特許文献】
【０００４】
【特許文献１】特開２００８−０２５８９９号公報
【発明の概要】
【発明が解決しようとする課題】
【０００５】
このような従来の加湿装置においては、吸込口から流入した気体は、貯水容器内の水に一部が浸漬するフィルター部分と、ファン部と、吹出口とを介する加湿風路と、吸込口からファン部と、吹出口とを介する送風風路とに分かれる構成となっていた。送風風路の圧損が少ないため、送風風路の流量が多くなる一方、加湿風路の流量が少なく、目標加湿量を満足できないという課題があった。
【課題を解決するための手段】
【０００６】
そして、この目的を達成するために本発明は、吹出口と吸気口とを有する本体ケースと、
水を貯水する貯水容器と、前記貯水容器内の水に一部が浸漬する気液接触部分と、前記気液接触部分に送風する送風機とを備え、前記吸気口から順次、前記気液接触部分、前記送風機を介して前記吹出口へ連通する第１の風路と、前記吸気口から前記送風機を介して前記吹出口へ連通する第２の風路と、を備え、前記第２の風路には、前記送風機のモータ部を配置し、前記モータ部には着脱自在なモータカバー部を設け、前記モータカバー部は、予め、前記第２の風路の風路抵抗を調整する形状が異なる複数の前記モータカバー部が準備され、交換して使用できることを特徴としたものであり、これらの手段により、初期の目的を達成するものである。
【発明の効果】
【０００７】
以上のように本発明は、モータカバーの交換により目標加湿量を満たす加湿装置を提供することができる。
【図面の簡単な説明】
【０００８】
【図１】本発明の実施の形態１の加湿装置の斜視図
【図２】同加湿装置の斜視図
【図３】同加湿装置の断面図
【図４】同加湿装置のタンク部材の斜視図
【図５】同加湿装置の貯水容器の斜視図
【図６】同加湿装置のフィルターとフィルター枠の斜視図
【図７】同加湿装置のファン部の斜視図
【図８】同加湿装置の本体ケースの前面側の内部を示す図
【発明を実施するための形態】
【０００９】
（実施の形態１）
図１、図２は、本発明の実施の形態１の加湿装置の斜視図である。なお、図１は、加湿装置を前面側から見た図である。図２は、パネルを開いた加湿装置を前面側から見た図である。図３は、加湿装置を右側から見た断面図である。
【００１０】
以下、加湿装置の詳細な構成について説明する。図１から図３に示すように、本実施の形態の加湿装置は、略箱形状の本体ケース１と、送風機２と、空気調和部３と、制御部４と、操作部５とを備える。
【００１１】
本体ケース１には、吸気口６と、吹出口７と、パネル８とが設けられている。
【００１２】
吸気口６は、本体ケース１の両側面に設けられている。吹出口７は、開閉式であって、本体ケース１の天面における背面側に設けられている。なお、図１、図２では、吹出口７は閉じた状態である。本体ケース１の天面における前面側には、操作部５が設けられている。
【００１３】
本体ケース１の右側面には、開閉可能なパネル８が設けられている。パネル８における本体ケース１の前面側には、吸気口６の一つを備えている。
【００１４】
パネル８を開くと、本体ケース１内には、空洞部９が設けられている。空洞部９は、本体ケース１における右側面の縦長四角形状の開口９ａから、本体ケース１における左側へ水平方向に延びた穴である。空洞部９内には、空気調和部３が設けられている。空気調和部３は、空洞部９内から本体ケース１外へ取り出すことが出来る。
【００１５】
本体ケース１内には、図３に示すように、吸気口６と吹出口７とを連通する第１の風路１０ａと、第２の風路１０ｂとが設けられている。第１の風路１０ａには、吸気口６から順に、空気調和部３（貯水容器、フィルター部分）、送風機２、吹出口７が設けられている。第２の風路１０ｂには、吸気口６から順に、送風機２、吹出口７が設けられている。
【００１６】
送風機２は、図３に示すように、本体ケース１の中央部に設けられ、モータ部１１と、モータ部１１により回転するファン部１２と、それらを囲むスクロール形状のケーシング部１３とを備えている。
【００１７】
ケーシング部１３には、吐出口１４と、第１の吸込口１５ａと、第２の吸込口１５ｂとが設けられている。ケーシング部１３は、第１の吸込口１５ａが設けられた第１の吸込面部分１３ａと、第２の吸込口１５ｂが設けられた第２の吸込面部分１３ｂと、第１の吸込面部分１３ａと第２の吸込面部分１３ｂとを連結するスクロール形状のスクロール面部分１３ｃとを有している。吐出口１４は、ケーシング部１３の本体ケース１における上面側に設けられている。また、第１の吸込口１５ａは、ケーシング部１３の本体ケース１における背面側に設けられ、第２の吸込口１５ｂは、ケーシング部１３の本体ケース１における前面側に設けられている。
【００１８】
モータ部１１は、円形の開口である第２の吸込口１５ｂの周縁から第２の吸込口１５ｂの中央に配置されたモータ支持部１５ｃに固定されている。モータ部１１の回転軸１１ａは、本体ケース１における前面側から背面側へ（第１の風路１０ａにおける風上側から風下側へ）水平に延びている。
【００１９】
ファン部１２は、シロッコファンで、モータ部１１から延びた回転軸１１ａに固定され
ている。モータ部１１の回転軸１１ａは、本体ケース１の前面側から背面側に延びている。
【００２０】
空気調和部３は、貯水容器１６と、タンク部材１７と、気液接触部分１８とを備えている。
【００２１】
貯水容器１６は、天面に開口が設けられた箱形状をしており、水を貯水できる構造となっている。貯水容器１６は、本体ケース１の下部に配置されており、空洞部９から水平方向にスライドして着脱可能となっている。貯水容器１６は、タンク部材１７から供給される水を貯水する。
【００２２】
図４は、本発明の実施の形態１のタンク部材の斜視図である。図５は、本発明の実施の形態１の貯水容器の斜視図である。
【００２３】
図４、図５に示すように、タンク部材１７は、本体ケース１内部の下部に設置され貯水容器１６から着脱可能な構造となっている。タンク部材１７は、貯水容器１６の底面に設けられたタンク保持部１６ａに装着されている。タンク部材１７は、水を貯水するタンク１７ａと、タンク１７ａの開口（図示せず）に設けられた蓋１７ｂとを備えている。蓋１７ｂの中央には、開閉部（図示せず）が設けられており、この開閉部が開くと、タンク１７ａ内の水が、貯水容器１６へ供給される。具体的には、タンク１７ａの開口を下向きにして、タンク部材１７を貯水容器１６のタンク保持部１６ａに取り付けると、タンク保持部１６ａによって開閉部が開く。つまり、タンク部材１７に水を入れてタンク保持部１６ａに取り付けると、開閉部が開いてタンク部材１７から貯水容器１６に給水され、貯水容器１６内に水が溜まる。貯水容器１６内の水位が上昇して水が蓋のところまで到達するとタンク部材１７の開口が水封されるので給水が停止する。タンク部材１７の内部には水が残っており、貯水容器１６内の水位が下がった場合に都度、タンク１７ａ内部の水が貯水容器１６に給水される。即ち、貯水容器１６内の水位は一定に保たれる。
【００２４】
図６は、本発明の実施の形態１のフィルターとフィルター枠の斜視図である。
【００２５】
図５、図６に示すように、気液接触部分１８は、貯水容器１６に貯水された水と、送風機２によって本体ケース１内に吸込まれた室内空気とを接触させる部材である。気液接触部分１８は、フィルター１９と、フィルター枠２０と、駆動部（図示せず）とを有している。
【００２６】
フィルター１９は、円筒状に構成され、円周部分に空気が流通可能な孔が設けられた構成である。フィルター１９は、フィルター１９の一端が貯水容器１６の水に浸漬するように、フィルター枠２０に装着されている。
【００２７】
フィルター枠２０は、貯水容器１６に設けられた軸受け１６ｂに回転支持されている。フィルター１９とフィルター枠２０とは、駆動部によって回転する構造となっている。
【００２８】
制御部４は、気液接触部分１８（駆動部）と、送風機２（モータ部１１）とを制御する。具体的には、制御部４は、操作部５の操作に応じて、気液接触部分１８である駆動部の動作、送風機２であるファン部１２の回転数などを制御する。送風機２のモータ部１１によってファン部１２が回転すると、第１の風路１０ａと、第２の風路１０ｂとに送風される。第１の風路１０ａでは、ファン部１２が回転すると、吸気口カバー６ａと本体ケース１との隙間を介し、吸気口６から本体ケース１内に入った外部の空気は、順に、空気調和部３（貯水容器１６、フィルター１９）、送風機２、吹出口７を介して、本体ケース１から吹き出される。第２の風路１０ｂでは、ファン部１２が回転すると、吸気口カバー６ａ
と本体ケース１との隙間を介し、吸気口６から本体ケース１内に入った外部の空気は、順に、送風機２、吹出口７を介して、本体ケース１から吹き出される。
【００２９】
図７は、本発明の実施の形態１の加湿装置のファン部の斜視図である。
【００３０】
図７に示すように、ファン部１２は、主板部分１２ｃと、第１の羽根部分１２ａと、第２の羽根部分１２ｂとを備えている。
【００３１】
主板部分１２ｃは、円板形状であり、中央部に椀形状の窪み部分１２ｄを有している。窪み部分１２ｄは、主板部分１２ｃの中央部が、主板部分における一方側（本体ケース１における背面側）に窪んだ形状である。モータ部１１の一部は、窪み部分１２ｄの内方に配置される。
【００３２】
第１の羽根部分１２ａは、断面形状が略円弧状の細長い板形状であり、主板部分１２ｃにおける一方側（本体ケースにおける背面側）の周縁部に多数、円環状に配置されている。ファン部１２が回転すると、第１の羽根部分１２ａによって、吸気口６と、空気調和部３（貯水容器１６、フィルター１９）と、第１の吸込口１５ａと、第１の羽根部分１２ａと、吐出口１４と、吹出口７とを連通する第１の風路１０ａに、本体ケース１外の空気が送風される（図３参照）。第１の羽根部分１２ａにおけるモータ部１１の回転軸方向の寸法は、第２の羽根部分１２ｂにおけるモータ部１１の回転軸方向の寸法より大きい。
【００３３】
第２の羽根部分１２ｂは、断面形状が略円弧状の細長い板形状であり、主板部分１２ｃにおける他方側（本体ケースにおける前面側）の周縁部に多数、円環状に配置されている。ファン部１２が回転すると、第２の羽根部分１２ｂによって、吸気口６と、第２の吸込口１５ｂと、第２の羽根部分１２ｂと、吐出口１４と、吹出口７とを順次連通する第２の風路１０ｂに、本体ケース１外の空気が送風される（図３参照）。
【００３４】
図８は、本発明の実施の形態１の加湿装置の本体ケースの前面側の内部を示す図である。
【００３５】
図８に示すように、本実施形態における特徴は、第２の風路１０ｂには、送風機のモータ部１１を配置し、モータ部１１には着脱自在なモータカバー部２１を設け、モータカバー部２１は、予め、第２の風路１０ｂの風路抵抗を調整する形状が異なる複数のモータカバー部２１が準備され、交換して使用できる点である。具体的には、製造時に２種類の異なる形状のモータカバー部を用意し、モータカバー部を変更することによって、２機種の加湿量の異なる加湿装置を製造できるものである。
【００３６】
これにより、第２の風路１０ｂの風路抵抗をモータカバー部２１の交換により、第２の風路１０ｂの風路抵抗を調整できる。
【００３７】
また、モータカバー部２１は、モータ部１１の回転軸１１ａ方向の投影面積が異なる複数のモータカバー部２１が準備されている。
【００３８】
これにより、第２の風路１０ｂの風路抵抗は、回転軸１１ａ方向の投影面積によって異なり、投影面積が大きいほど、風路抵抗は大きくなる。それに伴い、第１の風路１０ａの流量が大きくなり、気液接触が促進されることで、本体ケース１外に送風される空気の水分量が上昇する。
【００３９】
具体的には、モータカバー部２１は、モータカバー２１ａと、面積調整板２１ｂとを有している。
【００４０】
モータカバー２１ａは、椀形状であり、モータ部１１の風上側を覆い、モータ部１１の風下側は、モータ支持部１５ｃに覆われている。モータ部１１の回転軸１１ａは、モータ支持部１５ｃから外方に突出している。モータ部１１は、モータカバー２１ａとモータ支持部１５ｃとによって覆われ、水分を多く含んだ空気が、モータ部１１内部に侵入するのを防ぐ構造となっている。
【００４１】
面積調整板２１ｂは、椀形状であるモータカバー２１ａの周縁から外方に延びた円環形状の板である。面積調整板２１ｂの中心は、モータ部１１の回転軸上に配置されている。面積調整板２１ｂの外径は、送風機のケーシング部の円形開口である第２の吸込口１５ｂの内径より小さい寸法である。面積調整板２１ｂの一方側の面は、第２の風路の風上側に配置され、面積調整板２１ｂの他方側の面は、第２の風路の風下側に配置されている。
【００４２】
すなわち、モータカバー部２１は、面積調整板２１ｂの面積が異なる複数のモータカバー部２１が準備されているので、モータカバー部２１の交換により、第２の風路の風路抵抗を調整できる。これにより、モータカバー部２１の交換することで、簡易に第１の風路１０ａと第２の風路１０ｂの流量を変更できる。
【００４３】
また、送風機のケーシング部には第１電線カバー２３ａを有し、モータカバー部２１には第２電線カバー２３ｂを有している。
【００４４】
第１電線カバー２３ａは、送風機２のケーシング部１３の円形開口である第２の吸込口１５ｂの周縁からモータ部１１に延びた樋形状である。第１電線カバー２３ａは、送風方向における上流側から下流側に向かって凹んでいる。第１電線カバー２３ａは、主にモータ部１１から延びる電線２４の送風方向における下流側を覆う。
【００４５】
第２電線カバー２３ｂは、椀形状であるモータカバー２１ａの周縁から外方に延びた樋形状である。第１電線カバー２３ａは、送風方向における下流側から上流側に向かって凹んでいる。第２電線カバー２３ｂは、主にモータ部１１から延びる電線２４の送風方向における上流側を覆う。第２電線カバー２３ｂは、第１電線カバー２３ａより一回り大きく、第２電線カバー２３ｂ内に、第１電線カバー２３ａが嵌る。つまり、モータ部１１から延びる電線２４は、第１電線カバー２３ａと第２電線カバー２３ｂとに覆われている。なお、第２電線カバー２３ｂは、面積調整板２１ｂとは一体に形成している。
【００４６】
このように、第２電線カバー２３ｂと、面積調整板２１ｂとは一体に形成しているので、第２電線カバー２３ｂで発生する騒音を、面積調整板２１ｂが抑制する。つまり、第２電線カバー２３ｂの近傍の風路を塞ぐと第２電線カバー２３ｂで発生する騒音が低減されると考えられる。
【００４７】
また、第２の風路１０ｂにおいて吸気口６とファン部１２との間には、多数の孔を有する格子形状の整流部２２を設けている。整流部２２は、椀形状のモータ支持部１５ｃの周縁と、送風機２のケーシング部１３の円形開口である第２の吸込口１５ｂの周縁との間に配置されている。モータ支持部１５ｃは、整流部２２によってケーシング部１３の第２の吸込口１５ｂの中央に支持されている。
【００４８】
整流部２２と第２電線カバー２３ｂとは一体に形成している。モータカバー部２１は、整流部２２の送風方向における上流側に配置されている。
【００４９】
このように、整流部２２と第２電線カバー２３ｂとは一体に形成しているので、第２電線カバー２３ｂの強度が向上し、送風によって振動することを抑制できる。
【００５０】
また、モータカバー部２１は、整流部２２の送風方向における上流側に配置されているので、送風機２によって第２の風路１０ｂを流れる空気の一部は、面積調整板２１ｂの一方側の面に当たり、この一方側の面に沿って外方へ広がるように流れ、整流される。その整流された空気は、更に整流部２２を通過するので、ケーシング部１３の円形開口である第２の吸込口１５ｂにより均一に流れ易くなる。
【産業上の利用可能性】
【００５１】
本発明は、家庭用や事務所等で使用される加湿装置として有用である。
【符号の説明】
【００５２】
１    本体ケース
２    送風機
３    空気調和部
４    制御部
５    操作部
６    吸気口
７    吹出口
８    パネル
９    空洞部
９ａ    開口
１０ａ    第１の風路
１０ｂ    第２の風路
１１    モータ部
１１ａ    回転軸
１２    ファン部
１２ａ    第１の羽根部分
１２ｂ    第２の羽根部分
１２ｃ    主板部分
１２ｄ    窪み部分
１３    ケーシング部
１３ａ    第１の吸込面部分
１３ｂ    第２の吸込面部分
１３ｃ    スクロール面部分
１４    吐出口
１５ａ    第１の吸込口
１５ｂ    第２の吸込口
１５ｃ    モータ支持部
１６    貯水容器
１６ａ    タンク保持部
１６ｂ    軸受け
１７    タンク部材
１７ａ    タンク
１７ｂ    蓋
１８    気液接触部分
１９    フィルター
２０    フィルター枠
２１    モータカバー部
２１ａ    モータカバー
２１ｂ    面積調整板
２２    整流部
２３ａ    第１電線カバー
２３ｂ    第２電線カバー
２４    電線
【図１】
2020159597.tif 000003
【図２】
2020159597.tif 000004
【図３】
2020159597.tif 000005
【図４】
2020159597.tif 000006
【図５】
2020159597.tif 000007
【図６】
2020159597.tif 000008
【図７】
2020159597.tif 000009
【図８】
2020159597.tif 000010